(57)【要約】      （修正有）【課題】現像装置において、飛び跳ねる現像剤の過剰排出を抑制する。【解決手段】現像装置は、回転して現像剤を搬送する搬送部材７４を収容する収容部７０と、前記搬送部材７４の軸方向から見て側方に開口する開口部９２と、該開口部９２の下方から前記収容部の外側に張り出す張出部９４と、を有する筐体と、前記開口部９２の開口面７２Ｄに対する前記収容部７０の外側で、前記張出部９４に支持された磁石９６と、一端が前記筐体における前記開口部９２の上方に固定され、他端が前記磁石９６に対し、前記開口部９２の側と反対側から接触した状態で、前記開口部９２を覆う覆い部材９８と、を備えたものである。【選択図】図８
2019070684.tif 000002
【特許請求の範囲】
【請求項１】
回転して現像剤を搬送する搬送部材を収容する収容部と、前記搬送部材の軸方向から見て側方に開口する開口部と、該開口部の下方から前記収容部の外側に張り出す張出部と、を有する筐体と、
前記開口部の開口面に対する前記収容部の外側で、前記張出部に支持された磁石と、
一端が前記筐体における前記開口部の上方に固定され、他端が前記磁石に対し、前記開口部の側と反対側から接触した状態で、前記開口部を覆う覆い部材と、
を備えた現像装置。
【請求項２】
回転して現像剤を搬送する搬送部材を収容する収容部と、前記搬送部材の軸方向から見て側方に開口する開口部と、該開口部の下方から前記収容部の外側に張り出す張出部と、を有する筐体と、
前記開口部の開口面に対する前記収容部の外側で、前記張出部に支持された磁石と、
一端が前記筐体における前記開口部の上方に固定され、他端が前記磁石に対し、前記開口部の側と反対側から接触した状態で、前記開口部を覆うとともに、前記収容部の内部で飛び跳ねた現像剤を前記開口部から前記磁石の側に案内する覆い部材と、
を備えた現像装置。
【請求項３】
回転して現像剤を搬送する搬送部材を収容する収容部と、前記搬送部材の軸方向から見て側方に開口する開口部と、該開口部の下方から前記収容部の外側に張り出す張出部と、を有する筐体と、
前記開口部の開口面に対する前記収容部の外側で、前記張出部に支持された磁石と、
一端が前記筐体における前記開口部の上方に固定され、他端が前記磁石に対し、前記開口部の側と反対側から接触した状態で、前記開口部を覆うとともに、高位が前記開口部の下縁を超えた前記現像剤と接触して振動する覆い部材と、
を備えた現像装置。
【請求項４】
前記覆い部材は、薄板状の部材とされ、弾性的に曲げ変形された状態で、前記他端が前記磁石に接触している、
請求項１から３のいずれか１項に記載の現像装置。
【請求項５】
前記覆い部材は、前記開口部の側に凸となる方向に曲げ変形されている請求項４に記載の現像装置。
【請求項６】
前記覆い部材は、前記開口部の下縁よりも高位が上昇した現像剤が前記収容部から排出される際に、前記磁石との接触を維持したまま振動する、
請求項１から５のいずれか１項に記載の現像装置。
【請求項７】
前記覆い部材は、前記他端が自由端である片持ち支持状態で、前記磁石に対し、非固定状態で接触している、
請求項６に記載の現像装置。
【請求項８】
前記磁石は、前記軸方向に沿って延び、前記軸方向における前記開口部の開口範囲に亘って配置されている、
請求項１から７のいずれか１項に記載の現像装置。
【請求項９】
前記磁石は、前記軸方向において、一端のみが前記開口部からはみ出している、
請求項８に記載の現像装置。
【請求項１０】
前記磁石は、前記軸方向において、一端のみが前記覆い部材からはみ出している、
請求項９に記載の現像装置。
【請求項１１】
前記開口面と前記覆い部材と前記張出部とで囲まれる空間は、前記軸方向から見て、前記張出部の側が底辺をなす三角形状とされている、
請求項１から１０のいずれか１項に記載の現像装置。
【請求項１２】
前記張出部は、前記開口部の下縁に沿って水平に延びており、前記磁石は前記張出部の上面に載せられている、
請求項１から１１のいずれか１項に記載の現像装置。
【請求項１３】
前記磁石は、前記軸方向から見て矩形状であり、上側かつ前記開口部の側とは反対側の角部に前記覆い部材の前記他端が接触している、
請求項１２に記載の現像装置。
【請求項１４】
潜像が形成される像保持体と、
前記像保持体の外周面に形成された潜像をトナー像として現像する請求項１から１３のいずれか１項に記載の現像装置と、
を含み、
画像形成装置本体に対して一体として交換されるように組み立てられた組立体。
【請求項１５】
像保持体と、
前記像保持体の外周面を帯電する帯電装置と、
前記帯電装置によって帯電された前記像保持体の外周面に潜像を形成する潜像形成装置と、
前記潜像をトナー像として現像する請求項１から１３のいずれか１項に記載の現像装置と、
前記トナー像を被転写体に転写する転写装置と、
を備えた画像形成装置。
【発明の詳細な説明】
【技術分野】
【０００１】
本発明は、現像装置、組立体及び画像形成装置に関するものである。
【背景技術】
【０００２】
特許文献１には、現像剤を表面上に担持して回転し、潜像担持体と対向する箇所で該潜像担持体の表面の潜像にトナーを供給して現像する現像剤担持体と、現像剤を搬送する現像剤搬送部材とを備え、 該現像剤担持体に現像剤を供給する現像剤供給領域では該現像剤担持体に現像剤を供給しながら現像剤を搬送する現像剤搬送路と、該現像剤搬送路に現像剤を補給する現像剤補給手段とを有し、 該現像剤搬送路全体の現像剤量の増減に応じて現像剤の嵩が増減する位置の所定の高さに、現像剤を装置外部に排出する現像剤排出口を該現像剤搬送路に設けた現像装置において、 該現像剤排出口に対して閉鎖状態と開放状態とに変化可能な排出口開閉部材を備え、 該排出口開閉部材は、上下に可動であり、下方にあるときに前記排出口を閉鎖し、上方にあるときに前記排出口を開放し、かつ、下方に付勢されて、付勢力は剤が増加したときに前記開閉部材にかかる剤圧よりも小さく設定されていることを特徴とする現像装置が記載されている。
【０００３】
特許文献２には、キャリアとトナーとを有する現像剤を収容するとともに、像担持体上に形成される潜像を現像する現像装置であって、 軸部上にスクリュ部が形成されるとともに、装置内に収容された現像剤を長手方向に搬送して循環経路を形成する複数の搬送部材と、装置内に新たにキャリアを供給する供給手段と、前記複数の搬送部材のうち１つの搬送部材によって搬送される現像剤の高位が所定高さを超えたときにその現像剤を外部に排出するために当該１つの搬送部材による搬送経路の隔壁に形成された排出口と、を備え、前記１つの搬送部材は、長手方向の一部に前記スクリュ部が形成されていない切欠領域を具備し、前記排出口は、前記切欠領域に対向するとともに、当該切欠領域よりも長手方向の長さが小さくなるように形成され、前記排出口に対して前記搬送経路の上流側であって前記切欠領域の範囲内に、前記排出口が形成された前記隔壁から前記搬送経路の内部に向けて突出する壁部を設置したことを特徴とする現像装置が記載されている。
【先行技術文献】
【特許文献】
【０００４】
【特許文献１】特開２００９−０４７８９１号公報
【特許文献２】特開２００９−０６９２２５号公報
【発明の概要】
【発明が解決しようとする課題】
【０００５】
ところで、現像装置では、収容部に収容された現像剤の高位が収容部の側壁に形成された排出口の高さを超えると、現像剤が排出口を通して外部へ排出される排出構造が知られている。排出構造を備えた現像装置では、収容部内に設けられるオーガの回転によって、収容部内の現像剤が跳ね上げられて飛散し、排出口を通って排出されることがある。このように、現像剤の高位が排出口の下縁を超える前に現像剤が排出口を通して排出される場合、収容部内の現像剤量が不足してしまう。
【０００６】
本発明の課題は、搬送部材によって跳ね上げられた現像剤を、開口部を覆う部材のみで排出を抑制するものと比べて、飛び跳ねによる現像剤の過剰排出を抑制することができる現像装置及び画像形成装置を提供することである。
【課題を解決するための手段】
【０００７】
請求項１に記載の現像装置は、回転して現像剤を搬送する搬送部材を収容する収容部と、前記搬送部材の軸方向から見て側方に開口する開口部と、該開口部の下方から前記収容部の外側に張り出す張出部と、を有する筐体と、前記開口部の開口面に対する前記収容部の外側で、前記張出部に支持された磁石と、一端が前記筐体における前記開口部の上方に固定され、他端が前記磁石に対し、前記開口部の側と反対側から接触した状態で、前記開口部を覆う覆い部材と、を備えたものである。
【０００８】
請求項２に記載の現像装置は、回転して現像剤を搬送する搬送部材を収容する収容部と、前記搬送部材の軸方向から見て側方に開口する開口部と、該開口部の下方から前記収容部の外側に張り出す張出部と、を有する筐体と、前記開口部の開口面に対する前記収容部の外側で、前記張出部に支持された磁石と、一端が前記筐体における前記開口部の上方に固定され、他端が前記磁石に対し、前記開口部の側と反対側から接触した状態で、前記開口部を覆うとともに、前記収容部の内部で飛び跳ねた現像剤を前記開口部から前記磁石の側に案内する覆い部材と、を備えたものである。
【０００９】
請求項３に記載の現像装置は、請求項１又は請求項２に記載の現像装置において、回転して現像剤を搬送する搬送部材を収容する収容部と、前記搬送部材の軸方向から見て側方に開口する開口部と、該開口部の下方から前記収容部の外側に張り出す張出部と、を有する筐体と、前記開口部の開口面に対する前記収容部の外側で、前記張出部に支持された磁石と、一端が前記筐体における前記開口部の上方に固定され、他端が前記磁石に対し、前記開口部の側と反対側から接触した状態で、前記開口部を覆うとともに、高位が前記開口部の下縁を超えた前記現像剤と接触して振動する覆い部材と、を備えたものである。
【００１０】
請求項４に記載の現像装置は、請求項１から３のいずれか１項に記載の現像装置において、前記覆い部材は、薄板状の部材とされ、弾性的に曲げ変形された状態で、前記他端が前記磁石に接触しているものである。
【００１１】
請求項５に記載の現像装置は、請求項４に記載の現像装置において、前記覆い部材は、前記開口部の側に凸となる方向に曲げ変形されているものである。
【００１２】
請求項６に記載の現像装置は、請求項１から５のいずれか１項に記載の現像装置において、前記覆い部材は、前記開口部の下縁よりも高位が上昇した現像剤が前記収容部から排出される際に、前記磁石との接触を維持したまま振動するものである。
【００１３】
請求項７に記載の現像装置は、請求項６に記載の現像装置において、前記覆い部材は、前記他端が自由端である片持ち支持状態で、前記磁石に対し、非固定状態で接触しているものである。
【００１４】
請求項８に記載の現像装置は、請求項１から７のいずれか１項に記載の現像装置において、前記磁石は、前記軸方向に沿って延び、前記軸方向における前記開口部の開口範囲に亘って配置されているものである。
【００１５】
請求項９に記載の現像装置は、請求項８に記載の現像装置において、前記磁石は、前記軸方向において、一端のみが前記開口部からはみ出しているものである。
【００１６】
請求項１０に記載の現像装置は、請求項９に記載の現像装置において、前記磁石は、前記軸方向において、一端のみが前記覆い部材からはみ出しているものである。
【００１７】
請求項１１に記載の現像装置は、請求項１から１０のいずれか１項に記載の現像装置において、前記開口面と前記覆い部材と前記張出部とで囲まれる空間は、前記軸方向から見て、前記張出部の側が底辺をなす三角形状とされているものである。
【００１８】
請求項１２に記載の現像装置は、請求項１から１１のいずれか１項に記載の現像装置において、前記張出部は、前記開口部の下縁に沿って水平に延びており、前記磁石は前記張出部の上面に載せられているものである。
【００１９】
請求項１３に記載の現像装置は、請求項１２に記載の現像装置において、前記磁石は、前記軸方向から見て矩形状であり、上側かつ前記開口部の側とは反対側の角部に前記覆い部材の前記他端が接触しているものである。
【００２０】
請求項１４に記載の組立体は、潜像が形成される像保持体と、前記像保持体の外周面に形成された潜像をトナー像として現像する請求項１から１３のいずれか１項に記載の現像装置と、を含み、画像形成装置本体に対して一体として交換されるように組み立てられたものである。
【００２１】
請求項１５に記載の画像形成装置は、像保持体と、前記像保持体の外周面を帯電する帯電装置と、前記帯電装置によって帯電された前記像保持体の外周面に潜像を形成する潜像形成装置と、前記潜像をトナー像として現像する請求項１から１３のいずれか１項に記載の現像装置と、前記トナー像を被転写体に転写する転写装置と、を備えたものである。
【発明の効果】
【００２２】
請求項１の現像装置によれば、搬送部材によって跳ね上げられた現像剤を、開口部を覆う部材のみで排出を抑制するものと比べて、飛び跳ねによる現像剤の過剰排出を抑制することができる。
【００２３】
請求項２の現像装置によれば、搬送部材によって跳ね上げられた現像剤を、開口部を覆う部材のみで排出を抑制するものと比べて、飛び跳ねによる現像剤の過剰排出を抑制することができる。
【００２４】
請求項３の現像装置によれば、搬送部材によって跳ね上げられた現像剤を、開口部を覆う部材のみで排出を抑制するものと比べて、飛び跳ねによる現像剤の過剰排出を抑制することができる。
【００２５】
請求項４の現像装置によれば、覆い部材が自由状態で磁石に接触する構成と比較して、飛び跳ねによる現像剤の過剰排出を抑制することができる。
【００２６】
請求項５の現像装置によれば、平らな薄板状の部材により、曲げ状態で磁石に接触する覆い部材を形成することができる。
【００２７】
請求項６の現像装置によれば、前記開口部の下縁よりも高位が上昇した現像剤が前記収容部から排出される際に、覆い部材が振動しない構成と比べて、前記開口部と覆い部材と張出部とで囲まれる空間からの現像剤の排出が促進される。
【００２８】
請求項７の現像装置によれば、覆い部材の他端が磁石に固定されている構成と比べて、開口部と覆い部材と張出部とで囲まれる空間からの現像剤の排出が促進される。
【００２９】
請求項８の現像装置によれば、前記軸方向における前記開口部の開口範囲の一部にのみ磁石が配置された構成に比べて、飛び跳ねによる現像剤の過剰排出が抑制される。
【００３０】
請求項９の現像装置によれば、前記軸方向における前記開口部の開口範囲の両端にはみ出して磁石が配置された構成と比べて、前記軸方向における前記開口部の一方側からの現像剤の排出が促進される。
【００３１】
請求項１０の現像装置によれば、前記軸方向における前記覆い部材の両端にはみ出して磁石が配置された構成と比べて、前記軸方向における前記覆い部材の一方側からの現像剤の排出が促進される。
【００３２】
請求項１１の現像装置によれば、前記空間が四角形状のものと比べて、飛び跳ねた現像剤の過剰排出が抑制される。
【００３３】
請求項１２の現像装置によれば、前記磁石の上面と前記開口部の下縁との上下方向位置が一致する構成と比べて、飛び跳ねた現像剤の過剰排出が抑制される。
【００３４】
請求項１３の現像装置によれば、前記軸方向から見て、丸い磁石を備えた構成と比べて、前記開口部と覆い部材と張出部とで囲まれる空間からの現像剤の過剰排出が抑制される。
【００３５】
請求項１４の組立体によれば、請求項１から１３のいずれか１項に記載の現像装置を有しないものと比べて、像保持体上のトナー像における画像ムラを抑制することができる。
【００３６】
請求項１５の画像形成装置によれば、請求項１から１３のいずれか１項に記載の現像装置を有しないものと比べて、出力画像における画像ムラを抑制することができる。
【図面の簡単な説明】
【００３７】
【図１】本実施形態に係る画像形成装置を示した概略正面図である。
【図２】本実施形態に係る画像形成装置の画像形成部を示した概略正面図である。
【図３】本実施形態に係る画像形成装置のトナー画像形成部を示した概略正面図である。
【図４】本実施形態に係る現像装置の斜視図である。
【図５】図４の５−５断面図である。
【図６】本実施形態に係る現像装置の排出口を外方から見た斜視図である。
【図７】本実施形態に係る現像装置の排出口とフィルムと磁石との位置関係を示す側面図である。
【図８】図５における排出口部分の拡大断面図である。
【図９】本実施形態に係る現像装置のフィルムの厚さとフィルムの変位量との関係を示すグラフである。
【発明を実施するための形態】
【００３８】
本発明の実施形態に係る画像形成装置の一例を図１から図１０にしたがって説明する。なお、各図に示す矢印Ｈは装置高さ方向（装置上下方向）を示し、矢印Ｗは、装置幅方向を示す。
【００３９】
＜画像形成装置の全体構成＞
画像形成装置１０は、図１に示すように、電子写真方式により画像を形成する画像形成部１２と、画像が形成されるシート部材Ｐを、シート部材Ｐの搬送経路１６に沿って搬送する複数の搬送部材（符号省略）と、を備えている。ここで、シート部材Ｐは、被転写体の一例である。
【００４０】
また、画像形成装置１０は、画像が形成されたシート部材Ｐを冷却する冷却部２０と、シート部材Ｐの湾曲を矯正する矯正部２２と、シート部材Ｐに形成された画像を検査する画像検査部２４と、を備えている。
【００４１】
さらに、画像形成装置１０は、シート部材Ｐの両面に画像を形成させるために、表面に画像が形成されたシート部材Ｐを反転させて、再度、画像形成部１２へ向けて搬送するための反転経路２６を備えている。
【００４２】
上記構成による画像形成装置１０では、画像形成部１２によって形成された画像（トナー画像）が、搬送経路１６に沿って搬送されるシート部材Ｐの表面に形成される。さらに、画像が形成されたシート部材Ｐは、冷却部２０、矯正部２２、画像検査部２４をこの順番で通って装置の外部へ排出される。
【００４３】
一方、シート部材Ｐの裏面に画像を形成する場合は、表面に画像が形成されたシート部材Ｐが反転経路２６に沿って搬送され、再度、画像形成部１２でシート部材Ｐの裏面に画像が形成される。
【００４４】
画像形成部１２は、図１及び図２に示すように、画像形成装置本体１０Ａに組み込まれている。
画像形成部１２は、各色のトナー画像を夫々形成する複数のトナー画像形成部３０と、トナー画像形成部３０で形成されたトナー画像をシート部材Ｐに転写する転写部３２とを備えている。さらに、画像形成部１２は、転写部３２によってシート部材Ｐに転写されたトナー画像をシート部材Ｐに定着する定着装置３４を備えている。
【００４５】
トナー画像形成部３０は、色ごとにトナー画像を形成するように複数備えられている。本実施形態では、ホワイト（Ｗ）、シルバー（Ｓ）、イエロー（Ｙ）、マゼンタ（Ｍ）、シアン（Ｃ）、ブラック（Ｋ）の計６色のトナー画像形成部３０が備えられている。図２に示す（Ｗ）、（Ｓ）、（Ｙ）、（Ｍ）、（Ｃ）、（Ｋ）は、上記各色を示している。
【００４６】
イエロー（Ｙ）、マゼンタ（Ｍ）、シアン（Ｃ）、及びブラック（Ｋ）の４色は、カラー画像を出力するための基準色であり、ホワイト（Ｗ）、及びシルバー（Ｓ）は、基準色とは異なる色であって、出力画像の色域を広げるための色（以下「特殊色」）である。
また、本実施形態では、イエロー（Ｙ）、マゼンタ（Ｍ）、シアン（Ｃ）、及びブラック（Ｋ）の各現像剤Ｇの粒径は概ね同じ粒径であり、ホワイト（Ｗ）及びシルバー（Ｓ）の各現像剤Ｇの粒径は上記基準色の現像剤Ｇの粒径と異なる。
【００４７】
なお、以後の説明では、ホワイト（Ｗ）、シルバー（Ｓ）、イエロー（Ｙ）、マゼンタ（Ｍ）、シアン（Ｃ）、及びブラック（Ｋ）を区別する必要が無い場合は、符号に付するＷ、Ｓ、Ｙ、Ｍ、Ｃ、及びＫを省略する。
【００４８】
各色のトナー画像形成部３０は、用いるトナーを除き基本的に同様に構成されており、図３に示すように、回転する円筒状の像保持体４０と、像保持体４０を帯電する帯電器４２とを備えている。さらに、トナー画像形成部３０は、帯電した像保持体４０に露光光を照射して静電潜像を形成する露光装置４４と、キャリアとトナーを含んで構成された現像剤Ｇで静電潜像をトナー画像として現像する現像装置４６とを備えている。
ここで、帯電器４２は、帯電装置の一例であり、露光装置４４は、潜像形成装置の一例である。
なお、現像装置４６については詳細を後述する。
【００４９】
また、本実施形態では、潜像が形成される像保持体４０と、像保持体４０の外周面に形成された潜像をトナー像として現像する後述する現像装置４６と、を含み、画像形成装置本体１０Ａに対して一体として交換されるように、組立体として組み立てられている。
【００５０】
また、トナー画像形成部３０は、図２に示すように、各色の現像装置４６と図示せぬ供給管を介して接続され、各色の現像装置４６へ現像剤Ｇを供給するための各色のトナーカートリッジ２８を備えている。
【００５１】
また、各色の像保持体４０は、周回移動する転写ベルト５０（詳細は後述）に接触している。そして、転写ベルト５０の周回方向（図中矢印参照）において、上流側からホワイト（Ｗ）、シルバー（Ｓ）、イエロー（Ｙ）、マゼンタ（Ｍ）、シアン（Ｃ）、及びブラック（Ｋ）のトナー画像形成部３０が、この順番で水平方向に並んで配置されている。各色のトナー画像形成部では、各色の画像を、各色のトナーを用いて形成するようになっている。
【００５２】
転写部３２は、図２に示すように、複数のロール（符号省略）に巻き掛けられて図中矢印方向に周回し、各色の像保持体４０と接触する転写ベルト５０と、転写ベルト５０を挟んで各色の像保持体４０の反対側にそれぞれ配置される一次転写ロール５２とを備えている。この一次転写ロール５２が、像保持体４０に形成されたトナー画像を転写ベルト５０に転写するようになっている。
ここで、転写部３２は、転写装置の一例である。
また、転写部３２は、転写ベルト５０が巻き掛けられたロール５６と、転写ベルト５０に対してロール５６の反対側に配置され、転写ベルト５０に転写されたトナー画像をシート部材Ｐに転写する二次転写ロール５４とを備えている。この構成により、二次転写ロール５４と転写ベルト５０との間には、シート部材Ｐにトナー画像を転写する転写ニップＮＴが形成されている。
上記構成において、各色のトナー画像形成部３０によって形成されたトナー画像が、周回する転写ベルト５０に一次転写ロール５２によって一次転写される。さらに、この転写ベルト５０に一次転写されたトナー画像が、二次転写ロール５４によってシート部材Ｐに二次転写される。
【００５３】
定着装置３４は、複数のロール（符号省略）に巻き掛けられ、加熱される定着ベルト６０と、定着ベルト６０に向けてシート部材Ｐを加圧する加圧ロール６２とを備えている。
【００５４】
この構成において、周回する定着ベルト６０と加圧ロール６２とによって、トナー画像が転写されたシート部材Ｐが挟み込まれることで、トナー画像がシート部材Ｐに定着されるようになっている。
【００５５】
次に、画像形成装置１０における画像形成工程について説明する。
【００５６】
図１に示すように、画像形成装置１０が作動すると、ホワイト（Ｗ）、シルバー（Ｓ）、イエロー（Ｙ）、マゼンタ（Ｍ）、シアン（Ｃ）、ブラック（Ｋ）の各色の画像データが露光装置４４に出力される。そして、露光装置４４から画像データに応じて出射された光が、帯電器４２により帯電された像保持体４０の外周面（表面）を露光することで、各色の画像データに対応した静電潜像が各像保持体４０の表面に形成される。
【００５７】
続いて、各像保持体４０の表面に形成された静電潜像は、各現像装置４６によってトナー像として現像される。そして、各像保持体４０の表面のトナー像は、転写部３２において転写ベルト５０に順次多重転写される。
【００５８】
一方、搬送経路１６を搬送されてきたシート部材Ｐは、転写ベルト５０への各トナー像の多重転写とタイミングを合わせて、転写部３２に搬送される。そして、転写ベルト５０上に多重転写されたトナー像は、転写部３２に搬送されてきたシート部材Ｐ上に転写される。
【００５９】
続いて、トナー像が転写されたシート部材Ｐは、定着装置３４へ搬送される。そして、定着装置３４では、トナー像が加熱、加圧されることでシート部材Ｐに定着される。トナー像が定着されたシート部材Ｐは、排出部（図示省略）から排出される。
【００６０】
＜現像装置の構成及び基本的な作用＞
次に、現像装置４６について詳細に説明する。なお、各色の現像装置４６は、同一の構造のため、以下では、一つの現像装置４６を例に説明する。
【００６１】
図４に示すように、現像装置４６は、画像形成装置１０の装置奥行方向Ｘ（図１において紙面手前側から奥側への方向）が長手方向とされた装置である。
この現像装置４６は、図５に示すように、筐体４６Ａを備え、筐体４６Ａは、現像剤Ｇ及びオーガ７４を収容する収容部７０と、収容部７０の側壁部７２に開口する、後述する排出部９０と、を含んで構成されている。
【００６２】
図４に示すように、収容部７０は、装置奥行方向Ｘが長手方向とされている。この収容部７０は、長手方向の一端部（装置奥行方向Ｘ手前側の端部）が筒状部７０Ａとされている。また、筒状部７０Ａには、装置上方に向けて突出した筒状の供給口７８が設けられている。この供給口７８の内部は、筒状部７０Ａの内部とつながっており、トナーカートリッジ２８から供給される現像剤Ｇを収容部７０及び後述する収容部８０に供給するようになっている。
【００６３】
オーガ７４は、収容部７０の長手方向（装置奥行方向Ｘと同じ方向）を回転軸方向（図中矢印Ｘで示す。）として収容部７０に設けられている。このオーガ７４は、図示しない駆動源からの駆動力によって回転し、収容部７０内の現像剤Ｇを撹拌しながら回転軸方向Ｘに搬送する。本実施形態では、オーガ７４の回転により、装置奥行方向Ｘの奥側から手前側へ向けて現像剤Ｇが搬送される。ここで、オーガ７４は、搬送部材の一例である。
【００６４】
また、収容部７０の装置下方には、図５に示すように、装置奥行方向Ｘが長手方向となる収容部８０が設けられている。収容部７０と収容部８０は、装置奥行方向Ｘにおいて、供給口７８と排出口９２との間に設けられた図示しない通路部を通して連結されている。
【００６５】
この収容部８０は、長手方向の一端部（装置奥行方向Ｘ手前側の端部）が筒状部８０Ａとされている。また、収容部８０には、収容部８０の長手方向（装置奥行方向Ｘと同じ方向）を回転軸方向としてオーガ８２が回転可能に設けられている。このオーガ８２は、図示しない駆動源からの駆動力によって回転し、収容部８０内の現像剤Ｇを撹拌しながら回転軸方向に搬送する。本実施形態では、収容部７０から通路部を通して流れ込んだ現像剤Ｇがオーガ８２の回転により、装置奥行方向Ｘの手前側から奥側へ向けて搬送される。
【００６６】
また、収容部７０と収容部８０は、装置奥行方向Ｘの奥側の端部においても図示しない他の通路部を通してつながっている。収容部８０内をオーガ８２によって搬送された現像剤Ｇは、他の通路部を通して収容部７０へ移動する。収容部７０へ移動した現像剤Ｇは、オーガ７４によって装置奥行方向Ｘの手前側へ向けて搬送される。すなわち、収容部７０の内部と収容部８０の内部は、上記通路部と他の通路部を通して現像剤Ｇの循環経路を構成している。なお、収容部７０内の現像剤Ｇは、現像ロール４７へ送られ、像保持体４０の静電潜像を現像するようになっている。
【００６７】
なお、オーガ７４の装置奥行方向Ｘの手前側の端部では図示しない羽根の螺旋の向きが逆向きとなっており、供給口７８から供給された新しい現像剤Ｇは、収容部７０を搬送方向奥側から手前側へ搬送されてきた古い現像剤Ｇ（トナーが消費された現像剤）と掻き混ぜられて上記通路部を通して収容部８０（筒状部８０Ａ）へ移動する。
【００６８】
＜要部の構成＞
ここで、本発明の要部である現像装置４６の排出部９０について、図５から図８を参照しながら説明する。
【００６９】
［排出部］
図５に示すように、排出部９０は、収容部７０の装置幅方向Ｗの側壁部７２に配置されている。具体的には、排出部９０は、排出口９２と、張出壁９４と、磁石９６と、フィルム９８と、排出出口９２Ｅと、を含んで構成されている。
【００７０】
（排出口）
排出口９２は、図５から図８に示すように、収容部７０の側壁部７２を、オーガ７４の回転軸方向（装置奥行方向Ｘ）に直交する方向（装置幅方向Ｗ）に貫通する開口であり、側壁部７２の装置幅方向Ｗの側から見て、四角形の開口である。
排出口９２は、装置幅方向Ｗの側から見て、装置奥行方向Ｘに沿う上辺９２Ａと、上辺９２Ａの両端からそれぞれ装置高さ方向Ｈに沿って下方に向かう左辺９２Ｂと右辺９２Ｃと、左辺９２Ｂと右辺９２Ｃの下端をつなぐ下辺９２Ｄと、を備える。
また、排出口９２の下辺９２Ｄには、側壁部７２の内面７２Ａから外面７２Ｂまでの厚みに対応する下面７２Ｃが形成されている。
上辺９２Ａ及び下辺９２Ｄの幅寸法はＬ１であり、左辺９２Ｂ及び右辺９２Ｃの高さ寸法はともにＬ２である。
ここで、下面７２Ｃは、下縁の一例であり、排出口９２は、開口部の一例である。
【００７１】
（張出壁）
張出壁９４は、図６から図８に示すように、上面９４Ａと、突出端部９４Ｂと、傾斜面部９４Ｃと、左側面部９４Ｄと、右側面部９４Ｅと、を含んで構成されている。
上面９４Ａは、排出口９２の下辺９２Ｄにおいて装置奥行方向Ｘに沿って延び、かつ、
装置幅方向Ｗに向けて突出している。この上面９４Ａの突出端は突出端部９４Ｂとされている。
また、上面９４Ａは、図８に示すように、排出口９２の下面７２Ｃと連続して、一つの平面を形成している。
傾斜面部９４Ｃは、上面９４Ａの突出端部９４Ｂから、装置高さ方向Ｈの下方に向けて、側壁部７２に漸次近づくように傾斜して形成されている。
左側面部９４Ｄ及び右側面部９４Ｅは、傾斜面部９４Ｃの装置奥行方向Ｘの両端部において、上面９４Ａと側壁部７２と傾斜面部９４Ｃの各縁部に囲まれた面部である。
ここで、張出壁９４は、張出部の一例である。
【００７２】
また、図７に示すように、上面９４Ａにおける装置奥行方向Ｘの奥側は、側壁部７２の外面７２Ｂに沿って、排出口９２の右辺９２Ｃを超えて延びている。
【００７３】
〔磁石〕
磁石９６は、図６から図８に示すように、直方体状であり、接触角部９６Ａと、上面９６Ｂと、左端部９６Ｃと、右端部９６Ｄ、とを含んで構成されている。
接触角部９６Ａは、磁石９６の上側、かつ排出口９２の側とは反対側の角部であり、後述するフィルム９８の他端である下端部９８Ｄの内面９８Ａに設定された接触部９８Ｅが接触する。
上面９６Ｂは、矩形状の磁石９６の上側の面であり、左端部９６Ｃは、磁石９６における装置奥行方向Ｘの手前側の端部であり、右端部９６Ｄは、磁石９６における装置奥行方向Ｘの奥側の端部である。
磁石９６は、張出壁９４の上面９４Ａに、磁石９６における長手方向が上面９４Ａの装置奥行方向Ｘに沿う態様で固定されている。
磁石９６は、その長手方向の長さはＬ４である。また、長手方向に直交する短手方向の長さは、張出壁９４の上面９４Ａの張り出し寸法に合わせた寸法を有し、接触角部９６Ａの下方の角部が、上面９４Ａの突出端部９４Ｂに揃うように配置されている。
【００７４】
また、磁石９６は、一例として、装置奥行方向Ｘの両端の側にＮ極とＳ極とを備えている。
これは、他の例として、磁石９６の装置高さ方向Ｈの両端の側にＮ極とＳ極とを備えてもよく、また、磁石９６の装置幅方向Ｗの両端の側にＮ極とＳ極とを備えてもよい。
【００７５】
（フィルム）
フィルム９８は、図８に示すように、薄板状の部材とされ、内面９８Ａと、外面９８Ｂと、上端部９８Ｃと、下端部９８Ｄと、接触部９８Ｅと、左側端部９８Ｆと、右側端部９８Ｇと、を含んで構成されている。
【００７６】
フィルム９８は、弾性的に曲げ変形された状態で、接触部９８Ｅが磁石９６に接触するように設けられている。
この曲げ変形は、具体的には、排出口９２の側に凸となる方向に曲げ変形され、フィルム９８の内面の接触部９８Ｅは、磁石９６の接触角部９６Ａに押圧されている。
このとき、フィルム９８の接触部９８Ｅと磁石９６の接触角部９６Ａとは、フィルム９８が弾性的に排出口９２の側に凸となる方向に曲げ変形された状態で接触しているから、接触が維持される。
【００７７】
また、フィルム９８は、排出口９２の下面７２Ｃよりも高位が上昇した現像剤Ｇが、収容部７０から排出される際に、磁石９６との接触を維持したまま振動する。
これは、排出口９２から排出される現像剤Ｇが、排出口９２とフィルム９８の内面９８Ａとの間に堆積している現像剤Ｇを介してフィルム９８の内面９８Ａを押圧することで、フィルム９８の弾性力が変動し、振動としてフィルム９８に作用することによる。
【００７８】
また、フィルム９８は、他端である下端部９８Ｄが自由端である片持ち状態で、磁石９６に対して非固定状態で接触している。
これにより、フィルム９８の下端部９８Ｄにおいて、磁石９６に接触する接触部９８Ｅと磁石９６の接触角部９６Ａとが、接触状態で互いに移動可能とされることで、現像剤Ｇによる押圧に伴うフィルム９８は振動が促進される。
【００７９】
具体的には、フィルム９８の上端部９８Ｃは、排出口９２の上辺９２Ａの上側に位置する側壁部７２の外面７２Ｂに、接着剤等により固定されている。
また、フィルム９８の他端の自由端である下端部９８Ｄの側は、前述のように、下端部９８Ｄの内面９８Ａに設定された接触部９８Ｅは、磁石９６の接触角部９６Ａに被固定状態で接触している。
【００８０】
なお、フィルム９８の幅寸法（上端部９８Ｃ及び下端部９８Ｄの寸法）はＬ３である。
ここで、フィルム９８は、覆い部材の一例である。  
【００８１】
フィルム９８は、本実施形態においては、弾性を有するフィルム９８を用いている。フィルム９８は合成樹脂材料からなり、その厚さは、３０μｍ以上、かつ１００μｍ以下の範囲のものが好適に使用される。
図９は、フィルム９８の厚さに対するフィルム９８の変位量の変化を示している。フィルム９８の変位量とは、フィルム９８が振動する際の振幅である。
図９に示すように、フィルム９８の厚さが３０μｍ未満のものでは、フィルム９８の変位量が６０μｍ程度と大きくなる。そうすると、フィルム９８は、現像剤Ｇの押圧力により、排出口９２の側に凸となる方向に曲げ変形された形状が、逆に凸となる方向に変形したり、接触部９８Ｅが磁石９６の接触角部９６Ａから離れ、浮き上がる場合がある。
また、フィルム９８の厚さが１００μｍを超えると、フィルム９８の変位量が３０μｍ程度にまで低下し、現像剤Ｇの押圧によるフィルム９８の振動（振幅）が小さくなり、現像剤Ｇの排出不良が発生しやすくなる。
本実施形態においては、１００μｍのフィルムを用いている。
【００８２】
（排出出口）
排出出口９２Ｅは、図８に示すように、排出口９２と、フィルム９８と、張出壁９４と、で囲まれる空間であり、この空間は、装置奥行方向Ｘから見て、張出壁９４の側が底辺をなす三角形状とされている。
具体的には、排出出口９２Ｅは、側壁部７２の外面７２Ｂにおける排出口９２の開口面７２Ｄ（図８において、仮想線で示す位置）と、フィルム９８の内面９８Ａと、張出壁９４の上面９４Ａとで囲まれた空間である。
また、排出出口９２Ｅは、図６から図８に示すように、装置奥行方向Ｘの両側に開口している。この排出出口９２Ｅは、排出出口９２Ｅの一方は、フィルム９８の左側端部９８Ｆの側に、また、他方は、フィルム９８の右側端部９８Ｇの側に、それぞれ開口している。
【００８３】
［排出口と磁石とフィルムの相互の位置関係］
ここで、排出口９２と磁石９６とフィルム９８の相互の位置関係について説明する。
各位置関係は、装置幅方向Ｗの側、すなわち、収容部７０の側壁部７２を正面から見た状態で説明する。
【００８４】
（排出口と磁石の位置関係）
図７に示すように、磁石９６は、装置奥行方向Ｘにおける排出口９２の開口範囲に亘って配置されている。
また、磁石９６は、装置奥行方向Ｘにおいて、その一端が排出口９２からはみ出している。
具体的には、排出口９２の幅寸法Ｌ１に対して、磁石９６の長手寸法（装置奥行方向Ｘに沿う寸法）Ｌ４が長く、磁石９６の右端部９６Ｄは、排出口９２の右辺９２Ｃよりも装置奥行方向Ｘに向けてはみ出している。
その位置関係は、排出口９２の左辺９２Ｂと磁石９６の左端部９６Ｃが装置奥行方向Ｘで揃う位置に、また、磁石９６の右端部９６Ｄは、寸法Ｌ４Ａだけ排出口９２の右辺９２Ｃよりも装置奥行方向Ｘに向けて長くなる位置とされている。
【００８５】
（排出口とフィルムの位置関係）
図７に示すように、フィルム９８は、装置幅方向Ｗの方向から見て、排出口９２を覆う寸法を有する。
具体的には、フィルも９８の装置奥行方向Ｘに沿う幅寸法Ｌ３は、排出口９２の装置奥行方向Ｘに沿う幅寸法Ｌ１よりも片側が寸法Ｌ３Ｂだけ大きい。
また、フィルム９８の装置高さ方向Ｈに投影した高さ寸法は、排出口９２の高さ寸法Ｌ２より大きい。フィルム９８の上端部９８Ｃは、排出口９２の上側に位置する収容部７０の側壁部７２の外面７２Ｂに固定できるように、排出口９２の上辺９２Ａよりも高い位置まで延ばされている。
また、フィルム９８の下端部９８Ｄは、排出口９２の外側（装置幅方向Ｗ）に位置する磁石９６の接触角部９６Ａよりも、寸法Ｌ３Ａだけ下方まで延ばされている。
【００８６】
（磁石とフィルムの位置関係）
図７に示すように、磁石９６は、装置奥行方向Ｘにおいて、その一端がフィルム９８からはみ出している。
具体的には、磁石９６の右端部９６Ｄは、フィルム９８の右側端部９８Ｇの縁部から、寸法Ｌ４Ｂだけ、装置奥行方向Ｘの奥側に向けてはみ出している。
よって、寸法Ｌ４Ａは、寸法Ｌ４Ｂと寸法Ｌ３Ｂとの和となっている。
【００８７】
一方、磁石９６の左端部９６Ｃは、排出口９２の左辺９２Ｂと揃う位置とされ、かつ、フィルム９８の左側端部９８Ｆの縁部から、寸法Ｌ３Ｂだけ装置奥行方向Ｘの奥側に入り込んだ位置とされている。
【００８８】
＜要部の作用＞
ここで、本実施形態の要部である排出部９０の作用について、比較例の現像装置と比較しつつ、詳細に説明する。
【００８９】
図示しない比較例の現像装置の排出部は、排出口と、排出口の前面を覆う覆い部材と、を備えるものであり、張出壁及び磁石を備えていない。
このような構成では、収容部内で飛び跳ねた一部の現像剤Ｇが、排出口から覆い部材の内面に衝突するものの、その一部は、排出口から排出され、結果として、収容部内の現像剤Ｇの過剰排出を十分に抑制することができない。
【００９０】
本実施形態においては、図５に示すように、現像装置４６の収容部７０では、現像剤Ｇが収容部７０内に設けられたオーガ７４の矢印Ａ方向への回転によって撹拌されると、現像剤Ｇの一部が収容部７０内で飛び跳ね、その一部が、排出部９０の排出口９２に向かう（図中、矢印Ｂ方向）。
飛び跳ねた現像剤Ｇは、排出口９２を通過すると、フィルム９８の内面９８Ａに衝突し、磁石９６の磁力に引き付けられ、図８に示すように、磁石９６の上面９６Ｂ及び張出壁９４の上面９４Ａの上に、次第に蓄積されていく。
図８に示すように、現像剤Ｇの蓄積が進むと、磁石９６の上面９６Ｂと、張出壁９４の上面９４Ａと、フィルム９８の内面９８Ａとで囲まれた排出口９２の前面に蓄積された現像剤Ｇによって、排出口９２が塞がれる。
【００９１】
また、図８に示す排出口９２の上辺９２Ａに近い側は、磁石９６からの距離が離れていることによって磁石９６の磁力が小さい。しかしながら、排出出口９２Ｅが、張出壁９４の上面９４Ａを底辺とする三角形状とされていることから、排出口９２の磁石９６の磁力に遠い側にも飛び跳ねた現像剤Ｇを保持することができる。
これにより、収容部７０内で飛び跳ね、拡散しようとする現像剤Ｇが、排出口９２から排出されることが抑制される。
その結果、収容部７０内の現像剤Ｇの高位の上昇に伴う排出を上回る排出、すなわち、過剰排出が抑制される。
【００９２】
また、収容部７０内で現像剤Ｇの高位が上昇して、図５に示す現像剤Ｇの予め定められた高位Ｆを超え、排出口９２の下端である張出壁９４の上面９４Ａを超えると、収容部７０内の現像剤Ｇが排出口９２に向けて移動する。
そうすると、磁石９６の磁力によって、排出口９２と、張出壁９４の上面９４Ａと、フィルム９８の内面９８Ａとで囲まれた排出出口９２Ｅに蓄積されている現像剤Ｇは、収容部７０内から排出されてきた現像剤Ｇによって押される。
その結果、排出出口９２Ｅに蓄積されている現像剤Ｇによってフィルムが図５に示す矢印Ｂ方向に押圧され、この押圧力によって、フィルム９８が矢印Ｂ方向に沿って振動する。
【００９３】
フィルム９８が振動すると、図８に示す、排出口９２の位置における側壁部７２の外面７２Ｂと、フィルム９８の内面９８Ａと、磁石９６の上面９６Ｂとで囲まれた三角形状の排出出口９２Ｅの装置奥行方向Ｘの一方の開口端から現像剤Ｇが排出される。
【００９４】
また、図８に示すように、排出口９２の上辺９２Ａに近い側は磁石９６からの距離が離れていることによって磁石９６の磁力が小さい。これにより、フィルム９８が現像剤Ｇによって振動すると、三角形状の排出出口９２Ｅの上部に蓄積されている現像剤Ｇから先に排出される。このとき、フィルム９８の振動によって、現像剤Ｇは固まらずに排出される。
【００９５】
また、磁石９６は、排出口の右端から装置奥行方向Ｘに向けてはみ出し、かつ、フィルム９８の右側端部９８Ｇよりもはみ出している。
このはみ出している側は、はみ出した磁石９６の磁力によって、現像剤Ｇがフィルム９８の左側端部９８Ｆの側よりも多く蓄積され、通常の現像剤Ｇの上昇程度では、蓄積された現像剤Ｇは排出されずに排出口を塞いだままとなる。
これにより、現像剤Ｇは、排出出口９２Ｅの一方側から、主に排出される。
本実施形態では、排出出口９２Ｅの装置奥行方向Ｘの手前側、すなわち、図７に示す排出口９２の左辺９２Ｂの側から、現像剤Ｇが排出される。
【００９６】
なお、排出部９０から排出される現像剤Ｇは、排出部９０を覆う図示しないカバー及び排出管を含んで構成される排出経路に向かい、この排出経路から、図示しない搬送機構によって、再び、収容部７０に戻されるようになっている。
【００９７】
以上、説明したように、本実施形態においては、以下に示す構成及び効果を有する。
【００９８】
本実施形態における現像装置４６は、回転して現像剤Ｇを搬送するオーガ７４を収容する収容部７０と、オーガ７４の軸方向から見て側方に開口する排出口９２と、該排出口９２の下方から収容部７０の外側に張り出す張出壁９４と、を筐体４６Ａに備える。
加えて、現像装置４６は、筐体４６Ａの外面であって排出口９２の開口面７２Ｄから排出口９２の外側に配置され、張出壁９４に支持された磁石９６を備える。
さらに加えて、現像装置４６は、一端が筐体４６Ａにおける排出口９２の上方に固定され、他端が磁石９６に対し、排出口９２の側の接触部９８Ｅが接触した状態で、排出口９２を覆うフィルム９８と、を備えたものである。
これにより、オーガ７４によって跳ね上げられた現像剤Ｇを、排出口９２を覆う部材のみで排出を抑制するものと比べて、飛び跳ねによる現像剤Ｇの過剰排出を抑制することができる。
【００９９】
また、本実施形態における現像装置は、回転して現像剤Ｇを搬送するオーガ７４を収容する収容部７０と、オーガ７４の軸方向から見て側方に開口する排出口９２と、該排出口９２の下方から収容部７０の外側に張り出す張出壁９４と、を筐体に備える。
加えて、現像装置４６は、筐体４６Ａの外面であって排出口９２の開口面７２Ｄから排出口９２の外側に配置され、張出壁９４に支持された磁石９６と、を備える。
さらに加えて、現像装置４６は、次に示す構成を備える。
一端が筐体４６Ａにおける排出口９２の上方に固定され、他端が磁石９６に対し、排出口９２の側の面が接触した状態で、排出口９２を覆うとともに、収容部７０の内部で飛び跳ねた現像剤Ｇを排出口９２から磁石９６の側に案内するフィルム９８。
これにより、オーガ７４によって跳ね上げられた現像剤Ｇを、排出口９２を覆う部材のみで排出を抑制するものと比べて、飛び跳ねによる現像剤Ｇの過剰排出を抑制することができる。
【０１００】
また、本実施形態における現像装置４６は、回転して現像剤Ｇを搬送するオーガ７４を収容する収容部７０と、オーガ７４の軸方向から見て側方に開口する排出口９２と、該排出口９２の下方から収容部７０の外側に張り出す張出壁９４と、を筐体４６Ａに備える。
加えて、現像装置４６は、筐体４６Ａの外面であって排出口９２の開口面７２Ｄから収容部７０の外側に配置され、張出壁９４に支持された磁石９６と、を備える。
さらに加えて、現像装置４６は、次に示す構成を備える。
一端が筐体４６Ａにおける排出口９２の上方に固定され、他端が磁石９６に対し、排出口９２の側の面が接触した状態で、排出口９２を覆うとともに、高位が排出口９２の上面９４Ａを超えた現像剤Ｇと接触して振動するフィルム９８。
これにより、オーガ７４によって跳ね上げられた現像剤Ｇを、排出口９２を覆う部材のみで排出を抑制するものと比べて、排出口９２を覆う部材のみで排出を抑制するものと比べて、飛び跳ねによる現像剤Ｇの過剰排出を抑制できる。
加えて、高位が排出口９２における張出壁９４の上面９４Ａを超えた現像剤Ｇを排出することができる。
【０１０１】
また、本実施形態におけるフィルム９８は、薄板状の部材とされ、弾性的に曲げ変形された状態で、下端部９８Ｄの接触部９８Ｅが磁石９６に接触しているものである。
これにより、フィルム９８が自由状態で磁石９６に接触する構成と比較して、飛び跳ねによる現像剤Ｇの過剰排出を抑制することができる。
【０１０２】
また、本実施形態におけるフィルム９８は、排出口９２の側に凸となる方向に曲げ変形されているものである。
これにより、平らな薄板状の部材により、曲げ状態で磁石９６に接触するフィルム９８を形成することができる。
【０１０３】
また、本実施形態におけるフィルム９８は、排出口９２における張出壁９４の上面９４Ａよりも高位が上昇した現像剤Ｇが収容部７０から排出される際に、磁石９６との接触を維持したまま振動するものである。
これにより、排出口９２の上面９４Ａよりも高位が上昇した現像剤Ｇが収容部７０から排出される際に、フィルム９８が振動しない構成と比べて、排出口９２とフィルム９８と張出壁９４で囲まれる排出出口９２Ｅからの現像剤Ｇの排出が促進される。
【０１０４】
また、本実施形態におけるフィルム９８は、下端部９８Ｄが自由端である片持ち支持状態で、磁石９６に対し、非固定状態で接触しているものである。
これにより、フィルム９８の下端部９８Ｄが磁石９６に固定されている構成と比べて、排出口９２とフィルム９８と張出壁９４とで囲まれる排出出口９２Ｅからの現像剤Ｇの排出が促進される。
【０１０５】
また、本実施形態における磁石９６は、装置奥行方向Ｘに沿って延び、該装置奥行方向Ｘにおける排出口９２の開口範囲に亘って配置されているものである。
これにより、装置奥行方向Ｘにおける排出口９２の開口範囲の一部にのみ磁石９６が配置された構成に比べて、飛び跳ねによる現像剤Ｇの過剰排出が抑制される。
【０１０６】
また、本実施形態における磁石９６は、装置奥行方向Ｘにおいて、一端が排出口９２からはみ出しているものである。
これにより、装置奥行方向Ｘにおける排出口９２の開口範囲の両端にはみ出して磁石９６が配置された構成と比べて、装置奥行方向Ｘにおける排出口９２の一方側からの現像剤Ｇの排出が促進される。
【０１０７】
また、本実施形態における磁石９６は、装置奥行方向Ｘにおいて、一端がフィルム９８からはみ出しているものである。
これにより、装置奥行方向Ｘにおけるフィルム９８の両端にはみ出して磁石９６が配置された構成と比べて、装置奥行方向Ｘにおけるフィルム９８の一方側からの現像剤Ｇの排出が促進される。
【０１０８】
また、本実施形態の現像装置において、排出口９２とフィルム９８と張出壁９４とで囲まれる排出出口９２Ｅは、装置奥行方向Ｘから見て、張出壁９４の側が底辺をなす三角形状とされているものである。
これにより、排出出口９２Ｅを上方に狭い三角形状とすることで、排出出口９２Ｅにおける磁石９６の磁力に遠い側にも飛び跳ねた現像剤を保持することができる。
【０１０９】
また、本実施形態の現像装置における張出壁９４は、排出口９２における下縁に沿って水平に延びており、磁石９６は張出壁９４の上面９４Ａに載せられているものである。
これにより、磁石９６の上面９６Ｂと排出口９２の下縁との上下方向位置が一致する構成と比べて、飛び跳ねた現像剤をより多く保持することができる。
【０１１０】
また、本実施形態の現像装置における磁石９６は、装置奥行方向Ｘから見て矩形状であり、上側かつ排出口９２の側とは反対側の角部にフィルム９８の下端部９８Ｄにおける接触部９８Ｅが接触しているものである。
これにより、装置奥行方向Ｘから見て、丸い磁石を備えた構成と比べて、排出口９２とフィルム９８と張出壁９４とで囲まれる排出出口９２Ｅからの現像剤Ｇの過剰排出が抑制される。
【０１１１】
また、本実施形態の組立体は、潜像が形成される像保持体４０と、像保持体４０の外周面に形成された潜像をトナー像として現像する現像装置４６と、を含み、画像形成装置本体１０Ａに対して一体として交換されるように組み立てられたものである。
これにより、本実施形態の現像装置を有しないものと比べて、像保持体上のトナー像における画像ムラを抑制することができる。
【０１１２】
また、本実施形態の画像形成装置１０は、次に示す構成を備えたものである。
像保持体４０と、像保持体４０の外周面を帯電する帯電器４２と、帯電器４２によって帯電された像保持体４０の外周面に潜像を形成する露光装置４４と、潜像をトナー像として現像する現像装置４６と、トナー像をシート部材Ｐに転写する転写部３２。
これにより、本実施形態の現像装置を有しないものと比べて、出力画像における画像ムラを抑制することができる。
【０１１３】
以上、実施形態を挙げて本発明の実施の形態を説明したが、これらの実施形態は一例であり、要旨を逸脱しない範囲内で種々変更して実施でき、また、本発明の権利範囲がこれらの実施形態に限定されないことは言うまでもない。
【０１１４】
例えば、磁石９６は、張出壁９４の上面９４Ａに載せられていると説明したが、磁石９６は、その一部又は全部が張出壁９４の上面９４Ａに埋め込まれていてもよく、また、張出壁９４の上面９４Ａに複数の段差を備えるものとしてもよい。
【０１１５】
また、磁石９６の上面は、装置奥行方向Ｘから見て、装置幅方向Ｗにおいて張出壁９４の上面９４Ａと同じ向きに図示したが、磁石９６の上面は、装置奥行方向Ｘから見て、装置幅方向Ｗに傾斜した状態で設けてもよい。
【０１１６】
また、磁石９６は、装置奥行方向Ｘから見て直方体状であると説明したが、これに限らず、三角形状、台形形状等の各種多角形であってもよく、円形や楕円形状であってもよい。
【０１１７】
また、磁石９６は、装置奥行方向Ｘに延びる直方体状のものが一つとして説明したが、磁石９６は、装置奥行方向Ｘに沿って、複数の磁石９６を並べるようにしてもよく、また、磁石９６に磁性体（鉄板等）を組み合わせてもよい。
【０１１８】
また、磁石９６の排出口９２を向く側の面は、排出口９２における開口面７２Ｄに揃うように説明したが、磁石９６の排出口９２を向く側の面と開口面７２Ｄとの間に隙間を備えるようにしてもよい。
【０１１９】
また、フィルム９８は、合成樹脂製の薄板状のものであると説明したが、これに限らず、薄板状のもので、現像剤Ｇに押圧されて振動する素材であれば、金属、木材等、公知の材料を用いてもよい。
【０１２０】
また、磁石９６の排出口９２とフィルム９８とに対する位置関係は、装置奥行方向Ｘの奥側に向けて、排出口９２及びフィルム９８よりもはみ出していると説明した。
しかしながら、現像剤Ｇの排出方向を考慮して、排出口９２とフィルム９８に対する磁石９６のはみ出し方向を逆にしてもよい。
また、排出出口９２Ｅの両側からの排出を許容する場合は、右側端部９８Ｇにおける位置関係を左側端部９８Ｆ側における位置関係と同じ（両側とも磁石９６のはみ出し無し）としてもよい。
【０１２１】
また、フィルム９８の厚さを、３０μｍ以上、１００μｍ以下の範囲であると説明したが、フィルム９８の素材や大きさに合わせて、好適な数値を設定してもよい。
【符号の説明】
【０１２２】
１０      画像形成装置
１０Ａ    画像形成装置本体
３２      転写部（転写装置の一例）
４０      像保持体
４２      帯電器（帯電装置の一例）
４４      露光装置（潜像形成装置の一例）
４６      現像装置
４６Ａ    筐体
７０      収容部
７０Ａ    筒状部
７２      側壁部
７２Ａ    内面
７２Ｂ    外面
７２Ｃ    下面
７２Ｄ    開口面
７４      オーガ（搬送部材の一例）
９０      排出部
９２      排出口（開口部の一例）
９４      張出壁（張出部の一例）
９６      磁石
９８      フィルム（覆い部材の一例）
Ｇ      現像剤
Ｆ      予め定められた高位
Ｐ      シート部材（被転写体の一例）
【図１】
2019070684.tif 000003
【図２】
2019070684.tif 000004
【図３】
2019070684.tif 000005
【図４】
2019070684.tif 000006
【図５】
2019070684.tif 000007
【図６】
2019070684.tif 000008
【図７】
2019070684.tif 000009
【図８】
2019070684.tif 000010
【図９】
2019070684.tif 000011